(57)【特許請求の範囲】
【請求項１】
鍵の長手方向に突出するアンダーカット部を有する白鍵部を複数並列に配置し、これら複数の白鍵部をそれぞれ弾性変形部を介して前記白鍵部の配列方向に連続する連結固定部に連結させた状態で、合成樹脂により一体に成形された白鍵鍵盤を備えた鍵盤装置において、
前記連結固定部の所定箇所には、射出成形時に隣接する前記白鍵部同士の間隔を前記連結固定部側から前記白鍵部の先端側に向かうに従って次第に広くし、かつ射出成形後に前記隣接する白鍵部同士が互いに平行になるように屈曲する薄肉状の屈曲連結部が形成され、
前記白鍵部の前記アンダーカット部は、前記隣接する白鍵部同士の間隔を前記連結固定部側から前記白鍵部の先端側に向かうに従って次第に広くさせた状態で、配列された各前記白鍵部の長手方向についてほぼ同じ位置を通る同一曲率半径の円弧に沿う位置に形成されていることを特徴とする鍵盤装置。
【請求項２】
鍵の長手方向に突出するアンダーカット部を有する白鍵部を複数並列に配置し、これら複数の白鍵部をそれぞれ弾性変形部を介して前記白鍵部の配列方向に連続する連結固定部に連結させるとともに、前記連結固定部の所定箇所に、射出成形時に隣接する前記白鍵部同士の間隔を前記連結固定部側から前記白鍵部の先端側に向かうに従って次第に広くし、かつ射出成形後に前記隣接する白鍵部同士が互いに平行になるように屈曲する薄肉状の屈曲連結部を形成した白鍵鍵盤を合成樹脂により一体に成形する鍵盤装置の成形用金型において、
前記成形用金型内には、前記白鍵部の前記アンダーカット部を形成するスライドコアが前記白鍵部の配列方向にスライド可能に配置され、かつ前記スライドコアは、前記隣接する白鍵部同士の間隔を前記連結固定部側から前記白鍵部の先端側に向かうに従って次第に広くさせた状態で、配列された各前記白鍵部の長手方向についてほぼ同じ位置を通る同一曲率半径の円弧と同じ円弧状に湾曲形成されていることを特徴とする鍵盤装置の成形用金型。
【請求項３】
前記スライドコアには、離型時に前記アンダーカット部に対応する型抜き溝部が形成されていることを特徴とする請求項２に記載の鍵盤装置の成形用金型。
【発明の詳細な説明】
【０００１】
【発明の属する技術分野】
この発明は、電子ピアノなどの電子鍵盤楽器に用いられる鍵盤装置、およびその成形用金型に関する。
【０００２】
【従来の技術】
電子ピアノなどの電子鍵盤楽器においては、楽器ケース内の鍵盤シャーシ上に複数の白鍵および複数の黒鍵を並列に配置した鍵盤装置を備えている。
この鍵盤装置は、低コスト化を図るために、複数の白鍵を配列した状態で合成樹脂により一体に成形した白鍵鍵盤と、複数の黒鍵を配列した状態で合成樹脂により一体に成形した黒鍵鍵盤とを備え、これら白鍵鍵盤と黒鍵鍵盤とを組み合わせて鍵盤シャーシ上に一度に組み付けるように構成されている。
【０００３】
図５〜図７はその白鍵鍵盤の一例を示した図である。この白鍵鍵盤は、押鍵操作される白鍵部１と、この白鍵部１の後端部（図５では右端部）に形成されて白鍵部１の押鍵操作に応じて弾性変形する弾性変形部２と、この弾性変形部２の後端部に形成されて鍵盤シャーシ４上に固定される連結固定部３とからなり、図６に示すように、白鍵部１を複数並列に配置し、これら複数の白鍵部１をそれぞれ各弾性変形部２を介して白鍵部１の配列方向に沿って連続する帯状の連結固定部３に連結させた状態で、合成樹脂により一体に成形されている。
【０００４】
この場合、白鍵部１のほぼ中間部分には、図５に示すように、押鍵操作時に鍵盤シャーシ４に設けられた一対のゴムスイッチ部５を押圧する２つの押圧部６が下側に突出して形成されている。また、白鍵部１の前部側には、鍵盤シャーシ４に対する白鍵部１の上限位置および下限位置を規制するＬ字状のストッパ片７が下側に突出して形成されている。このＬ字状のストッパ片７は、その下部が後方（図５では右側）に向けて突出し、この突出した部分が鍵盤シャーシ４の縦孔４ａ内に上下方向に移動自在に挿入されている。この状態では、通常は白鍵部１が弾性変形部２とゴムスイッチ部６の各弾性力により上方に押し上げられて縦孔４ａの上側に位置する上限ストッパ８に当接し、押鍵されたときに縦孔４ａの下側に位置する下限ストッパ９に当接する。
【０００５】
ところで、このような白鍵鍵盤は、射出成形用金型を用いて、複数の白鍵部１、例えば１オクターブ分の白鍵部１を並列に配置した状態で一体成形する場合、隣接する白鍵部１の隙間が狭いため、この部分に対応する射出成形用金型の肉厚が薄くなり、射出成形用金型の機械的強度が弱くなる。特に、１オクターブ分の白鍵部１、例えばＣ鍵〜Ｂ鍵のうち、隣接する白鍵部１同士の間に黒鍵が配置されないＥ鍵とＦ鍵とが最も接近部分が長い。このため、１オクターブ分の白鍵部１を一体に成形する場合には、図６に示すように、Ｅ鍵とＦ鍵の間に位置する箇所の連結固定部３に切り込みを設けて薄肉状の屈曲連結部１０を形成し、この屈曲連結部１０を境にして、その左右両側に位置する各複数の白鍵部１、例えば左側に位置するＣ鍵、Ｄ鍵、Ｅ鍵と、右側に位置するＦ鍵、Ｇ鍵、Ａ鍵、Ｂ鍵とを、それぞれ互いに平行な状態で並列に配置し、Ｅ鍵とＦ鍵とを屈曲連結部１０から白鍵部１の先端側に向けて次第に間隔が広がるように配置し、この状態で一体成形する方法が開発されている。
【０００６】
【発明が解決しようとする課題】
しかしながら、このような白鍵鍵盤では、図７に示すように、各白鍵部１のストッパ片７の下部が後方（同図では右方）に突出しているので、この突出した部分が射出成形時にアンダーカット部１１となり、このアンダーカット部１１を形成するために、射出成形用金型内にスライドコア１２を配置して成形する必要がある。このスライドコア１２は、ストッパ片７のアンダーカット部１１が各白鍵部１の同一箇所に形成されているため、アンダーカット部１１の上側に位置するストッパ片７の後端面に当接する箇所に位置して、白鍵部１の配列方向に直線状に形成されている。そして、このスライドコア１２は、射出成形用金型内に直線的に配置され、この状態で離型時に駆動装置により駆動されて直線方向に沿ってスライドすることにより、ストッパ片７のアンダーカット部１１を型抜きするように構成されている。
【０００７】
このような射出成形用金型では、図６に示すように、１オクターブ分の白鍵部１をＥ鍵とＦ鍵との間で広げて成形する場合、左側に位置するＣ鍵、Ｄ鍵、Ｅ鍵の各アンダーカット部１１を成形するために、同図の左側に示された一点鎖線Ｋ１の箇所に配置される左用スライドコアと、右側に位置するＦ鍵、Ｇ鍵、Ａ鍵、Ｂ鍵の各アンダーカット部１１を成形するために、同図の右側に示された一点鎖線Ｋ２の箇所に配置される右用スライドコアとの２つのスライドコアが必要となり、これに伴って駆動装置も右用と左用の２つが必要になるため、射出成形用金型の構造が複雑になるばかりか、射出成形用金型の全体が大型化し、製造コストが高くなるという問題がある。
【０００８】
この発明の課題は、複数の鍵を一体成形するときに、所定箇所の鍵の間を広げても、１つのスライドコアでアンダーカット部を成形できるようにすることである。
【０００９】
【課題を解決するための手段】
請求項１に記載の発明の鍵盤装置は、鍵の長手方向に突出するアンダーカット部を有する白鍵部を複数並列に配置し、これら複数の白鍵部をそれぞれ弾性変形部を介して前記白鍵部の配列方向に連続する連結固定部に連結させた状態で、合成樹脂により一体に成形された白鍵鍵盤を備えた鍵盤装置において、
前記連結固定部の所定箇所には、射出成形時に隣接する前記白鍵部同士の間隔を前記連結固定部側から前記白鍵部の先端側に向かうに従って次第に広くし、かつ射出成形後に前記隣接する白鍵部同士が互いに平行になるように屈曲する薄肉状の屈曲連結部が形成され、
前記白鍵部の前記アンダーカット部は、前記隣接する白鍵部同士の間隔を前記連結固定部側から前記白鍵部の先端側に向かうに従って次第に広くさせた状態で、配列された各前記白鍵部の長手方向についてほぼ同じ位置を通る同一曲率半径の円弧に沿う位置に形成されていることを特徴とする。
【００１０】
この発明によれば、複数の白鍵部を並列に配置させて一体成形するときに、連結固定部の所定箇所に形成された屈曲連結部により、隣接する白鍵部同士の間隔を連結固定部側から白鍵部の先端側に向かうに従って次第に広くしても、その配列状態で各白鍵部のアンダーカット部が白鍵部の配列方向における同一曲率半径の円弧に沿う位置に形成されているので、アンダーカット部をその形成位置の円弧と同じ円弧状に湾曲した１つのスライドコアで成形することができる。
【００１１】
請求項２に記載の発明の鍵盤装置の成形用金型は、鍵の長手方向に突出するアンダーカット部を有する白鍵部を複数並列に配置し、これら複数の白鍵部をそれぞれ弾性変形部を介して前記白鍵部の配列方向に連続する連結固定部に連結させるとともに、前記連結固定部の所定箇所に、射出成形時に隣接する前記白鍵部同士の間隔を前記連結固定部側から前記白鍵部の先端側に向かうに従って次第に広くし、かつ射出成形後に前記隣接する白鍵部同士が互いに平行になるように屈曲する薄肉状の屈曲連結部を形成した白鍵鍵盤を合成樹脂により一体に成形する鍵盤装置の成形用金型において、
前記成形用金型内には、前記白鍵部の前記アンダーカット部を形成するスライドコアが前記白鍵部の配列方向にスライド可能に配置され、かつ前記スライドコアは、前記隣接する白鍵部同士の間隔を前記連結固定部側から前記白鍵部の先端側に向かうに従って次第に広くさせた状態で、配列された各前記白鍵部の長手方向についてほぼ同じ位置を通る同一曲率半径の円弧と同じ円弧状に湾曲形成されていることを特徴とする。
【００１２】
この発明によれば、複数の白鍵部を並列に配置させるとともに、連結固定部の屈曲連結部により隣接する白鍵部同士の間隔を連結固定部側から白鍵部の先端側に向かうに従って次第に広くさせ、この状態で一体成形するときに、成形用金型内に、白鍵部のアンダーカット部を形成するスライドコアを白鍵部の配列方向にスライド可能に配置するとともに、このスライドコアを各白鍵部のほぼ同じ位置を通る同一曲率半径の円弧と同じ円弧状に湾曲形成したので、隣接する白鍵部同士の間隔を連結固定部側から白鍵部の先端側に向かうに従って次第に広くしても、その配列状態で複数の白鍵部の各アンダーカット部を一度に成形することができるとともに、離型時にスライドコアをそれ自身の円弧に沿ってスライドさせることにより、各白鍵部のアンダーカット部を成形用金型内から抜き出すことができ、これにより成形用金型の構造が簡単となり、成形用金型の小型化を図ることができる。
【００１３】
この場合、請求項３に記載のごとく、前記スライドコアには、離型時に前記アンダーカット部に対応する型抜き溝部が形成されていれば、射出成形時にスライドコアの型抜き溝部をアンダーカット部から白鍵部の配列方向にずらして配置することにより、アンダーカット部を確実に成形することができ、また離型時にスライドコアを白鍵部の配列方向にスライドさせて型抜き溝部をアンダーカット部に対応させることにより、型抜き溝部を通してアンダーカット部を抜き出すことができ、このため離型時に型抜き溝部がアンダーカット部から白鍵部の配列方向にずれている長さだけ、スライドコアを移動させるだけで良いので、スライドコアの移動長さを短くすることができ、これによっても成形用金型の小型化が図れる。
【００１４】
【発明の実施の形態】
以下、図１〜図４を参照して、この発明の鍵盤装置およびその成形用金型の一実施形態について説明する。なお、図５〜図７に示された従来例と同一部分には同一符号を付して説明する。
この鍵盤装置は、白鍵部１に形成されるストッパ片７のアンダーカット部１１の形成位置が従来例と異なり、これ以外は従来例とほぼ同じ構造になっている。すなわち、白鍵部１に形成されるストッパ片７のアンダーカット部１１は、図１に示すように、複数の白鍵部１が並列に配置されるとともに、連結固定部３の所定箇所に形成された屈曲連結部１０により、隣接する白鍵部１同士の間隔が連結固定部３側から白鍵部１の先端側に向かうに従って次第に広くなる状態で配列され、この状態で各白鍵部１のほぼ同じ位置を通る同一曲率半径の円弧Ｒに沿う位置に形成されている。この場合、同一曲率半径の円弧Ｒは、アンダーカット部１１の上側に位置するストッパ片７の後端面（図７では右側の端面）の位置を示している。
【００１５】
次に、このような白鍵鍵盤を成形する射出成形用金型２０について、図２〜図４を参照して説明する。
この射出成形用金型２０は、図２〜図４に示すように、上金型２１と下金型２２とを備えている。上金型２１の下面側の内部には、図３に示すように、キャビティブロック２３が配置されており、下金型２２の上面側の内部には、コアブロック２４が配置されている。キャビティブロック２３の下面には、白鍵鍵盤のほぼ外面形状に対応する凹部が形成されており、コアブロック２４の上面には、白鍵鍵盤のほぼ内面形状に対応する凸部が形成されている。これにより、上金型２１と下金型２２とが重ね合わされたときに、キャビティブロック２３の凹部にコアブロック２４の凸部が挿入し、キャビティブロック２３とコアブロック２４との間に白鍵鍵盤とほぼ同じ形状のキャビティ（空洞部）２５が形成される。
【００１６】
また、キャビティブロック２３とコアブロック２４との間、つまりコアブロック２４の上面側には、スライドコア２６が白鍵部１の配列方向にスライド可能に配置されている。このスライドコア２６の一端側（図３では左側）に位置する上金型２１と下金型２２との間には、スライドコア２６をスライドさせる駆動装置２７が配置されている。スライドコア２６は、白鍵部１のアンダーカット部１１を形成するためのものであり、アンダーカット部１１の配列形状と同じ円弧状に湾曲形成されている。すなわち、スライドコア２６は、図１および図２に示すように、１オクターブ分の白鍵部１を並列に配置させるとともに、連結固定部３の所定箇所に形成された屈曲連結部１０により、隣接する白鍵部１同士（つまりＥ鍵とＦ鍵）の間隔を連結固定部３側から白鍵部１の先端側に向かうに従って次第に広くさせた状態で、白鍵鍵盤を一体成形するときに、白鍵部１のほぼ同じ位置を通る同一曲率半径の円弧Ｒと同じ円弧状に湾曲形成されている。
【００１７】
この場合、スライドコア２６の長手方向に沿う側面には、図３に示すように、各白鍵部１のアンダーカット部１１に対応する型抜き溝部２８が形成されている。これら型抜き溝部２８は、その幅がアンダーカット部１１の厚みとほぼ同じ大きさで、その深さがアンダーカット部１１の後方への突出長さとほぼ同じ長さに形成されている。これにより、型抜き溝部２８は、図３に示すように、射出成形時にアンダーカット部１１から白鍵部１の配列方向の一方側（同図では左側）にずれて配置され、離型時にスライドコア２６が白鍵部１の配列方向の他方側（同図では右側）にスライドしてアンダーカット部１１に対応し、この状態でアンダーカット部１１が通り抜けるように構成されている。
また、駆動装置２７は、スライドコア２６をその円弧Ｒに沿って白鍵部１の配列方向にスライドさせるものであり、その機構としては、例えば傾斜ピンなどの操作部材を操作して移動させる方法、モータやコンプレッサなどで歯車を回転させて移動させる方法、油圧や圧縮空気でシリンダを駆動して移動させる方法などがある。
【００１８】
次に、このような射出成形用金型２０で白鍵鍵盤を成形する場合について説明する。
まず、上金型２１の下面側の内部にキャビティブロック２３を配置し、下金型２２の上面側の内部にコアブロック２４を配置した上、このコアブロック２４の上面側にスライドコア２６を配置し、この状態で上金型２１と下金型２２とを重ね合わせてキャビティブロック２３の凹部にコアブロック２４の凸部を挿入させることにより、キャビティブロック２３とコアブロック２４との間に白鍵鍵盤とほぼ同じ形状のキャビティ２５を形成する。このときには、図３に示すように、スライドコア２６の型抜き溝部２８を白鍵部１のアンダーカット部１１から白鍵部１の配列方向における一方側（同図では左側）にずらして配置する。
【００１９】
この状態で、キャビティブロック２３とコアブロック２４との間に形成されたキャビティ２５内に合成樹脂を射出して白鍵鍵盤を成形する。この後、上金型２１と下金型２２とを離型し、キャビティブロック２３とコアブロック２４とを分離するとともに、駆動装置２７によりスライドコア２６をその円弧Ｒに沿って白鍵部１の配列方向における他方側（図３では右側）にスライドさせて、スライドコア２６の型抜き溝部２８をアンダーカット部１１に対応させる。これにより、キャビティブロック２３およびコアブロック２４内から成形された白鍵鍵盤を取り出すとともに、スライドコア２６の型抜き溝部２８を通してアンダーカット部１１を抜き出すことができる。
【００２０】
このようにして得られた白鍵鍵盤は、１オクターブ分の白鍵部１が並列に配置されているとともに、連結固定部３の屈曲連結部１０により隣接する白鍵部１同士つまりＥ鍵とＦ鍵との間隔が連結固定部３側から白鍵部１の先端側に向かうに従って次第に広がった状態で一体成形されるが、屈曲連結部１０を屈曲させて隣接するＥ鍵とＦ鍵とを互いに平行にさせ、この状態で鍵盤シャーシ４に組み付けることにより、１オクターブ分の白鍵部１を全て平行な状態で鍵盤シャーシ４に取り付けることができる。
【００２１】
このように、この射出成形用金型２０によれば、その内部に、白鍵部１のアンダーカット部１１を形成する１つのスライドコア２６を白鍵部１の配列方向にスライド可能に配置するとともに、この１つのスライドコア２６を各白鍵部１のほぼ同じ位置を通る同一曲率半径の円弧Ｒと同じ円弧状に湾曲形成したので、隣接する白鍵部１同士、例えばＥ鍵とＦ鍵との間隔を連結固定部３側から白鍵部１の先端側に向かうに従って次第に広くしても、その配列状態で１オクターブ分の白鍵部１の各アンダーカット部１１を一度に成形することができるとともに、離型時にスライドコア２６をそれ自身の円弧Ｒに沿ってスライドさせることにより、各白鍵部１のアンダーカット部１１を射出成形用金型２０内から抜き出すことができ、これにより射出成形用金型２０の構造が簡単となり、射出成形用金型２０の小型化を図ることができ、製造コストの低減化をも図ることができる。
【００２２】
この場合、スライドコア２６には、離型時にアンダーカット部１１に対応する型抜き溝部２８が形成されているので、射出成形時にスライドコア２６の型抜き溝部２８をアンダーカット部１１から白鍵部１の配列方向にずらして配置することにより、アンダーカット部１１を確実に成形することができ、また離型時にスライドコア２６を白鍵部１の配列方向にスライドさせて型抜き溝部２８をアンダーカット部１１に対応させることにより、型抜き溝部２８を通してアンダーカット部１１を抜き出すことができ、このため離型時に型抜き溝部２８がアンダーカット部１１から白鍵部１の配列方向にずれている長さだけ、スライドコア２６を移動させるだけで良いので、スライドコア２６の移動長さを短くすることができ、これによっても射出成形用金型２０の小型化が図れる。
【００２３】
なお、上記実施形態では、１オクターブ分の白鍵部１を一体成形する場合について述べたが、これに限らず、例えば、２オクターブ分以上の白鍵部１を一体成形する場合にも適用することができる。
【００２４】
【発明の効果】
以上説明したように、請求項１に記載の発明の鍵盤装置によれば、複数の白鍵部を並列に配置させて一体成形するときに、連結固定部の所定箇所に形成された屈曲連結部により、隣接する白鍵部同士の間隔を連結固定部側から白鍵部の先端側に向かうに従って次第に広くしても、その配列状態で各白鍵部のアンダーカット部が白鍵部の配列方向における同一曲率半径の円弧に沿う位置に形成されているので、アンダーカット部をその形成位置の円弧と同じ円弧状に湾曲した１つのスライドコアで成形することができる。
【００２５】
請求項２に記載の発明の鍵盤装置の成形用金型によれば、複数の白鍵部を並列に配置させるとともに、連結固定部の屈曲連結部により隣接する白鍵部同士の間隔を連結固定部側から白鍵部の先端側に向かうに従って次第に広くさせ、この状態で一体成形するときに、成形用金型内に、白鍵部のアンダーカット部を形成するスライドコアを白鍵部の配列方向にスライド可能に配置するとともに、このスライドコアを各白鍵部のほぼ同じ位置を通る同一曲率半径の円弧と同じ円弧状に湾曲形成したので、隣接する白鍵部同士の間隔を連結固定部側から白鍵部の先端側に向かうに従って次第に広くしても、その配列状態で複数の白鍵部の各アンダーカット部を一度に成形することができるとともに、離型時にスライドコアをそれ自身の円弧に沿ってスライドさせることにより、各白鍵部のアンダーカット部を成形用金型内から抜き出すことができ、これにより成形用金型の構造が簡単となり、成形用金型の小型化を図ることができ、製造コストの低減化をも図ることができる。
【００２６】
この場合、スライドコアには、離型時にアンダーカット部に対応する型抜き溝部が形成されているので、射出成形時にスライドコアの型抜き溝部をアンダーカット部から白鍵部の配列方向にずらして配置することにより、アンダーカット部を確実に成形することができ、また離型時にスライドコアを白鍵部の配列方向にスライドさせて型抜き溝部をアンダーカット部に対応させることにより、型抜き溝部を通してアンダーカット部を抜き出すことができ、このため離型時に型抜き溝部がアンダーカット部から白鍵部の配列方向にずれている長さだけ、スライドコアを移動させるだけで良いので、スライドコアの移動長さを短くすることができ、これによっても成形用金型の小型化が図れる。
【図面の簡単な説明】
【図１】この発明の鍵盤装置の一実施形態を示した平面図。
【図２】図１の鍵盤装置の射出成形用金型を示した平面図。
【図３】図２のＡ−Ａ矢視における断面図。
【図４】図２のＢ−Ｂ矢視における断面図。
【図５】鍵盤装置の白鍵鍵盤を鍵盤シャーシに組み付けた状態を示した断面図。
【図６】従来の白鍵鍵盤の平面図。
【図７】図６の白鍵鍵盤の白鍵を示した側面図。
【符号の説明】
１  白鍵部
２  弾性変形部
３  連結固定部
７  ストッパ片
１０  屈曲連結部
１１  アンダーカット部
２０  射出成形用金型
２１  上金型
２２  下金型
２３  キャビティブロック
２４  コアブロック
２５  キャビティ
２６  スライドコア
２７  駆動装置
２８  型抜く溝部
Ｒ  同一曲率半径の円弧
【図１】
0004134486.tif 000002
【図２】
0004134486.tif 000003
【図３】
0004134486.tif 000004
【図４】
0004134486.tif 000005
【図５】
0004134486.tif 000006
【図６】
0004134486.tif 000007
【図７】
0004134486.tif 000008